(57)【要約】【課題】スタック場所を容易に追加することができ、また、発行した媒体が混在することのない媒体発行装置を提供する。【解決手段】未発行の媒体を格納する媒体収納部と、前記未発行の媒体、あるいは外部から取り込んだ既発行の媒体に所要の印字処理を施して媒体を発行する媒体発行装置１と、仕切り部材により区画された複数の区画を備え、各区画に前記発行された複数種類の媒体を分別して収納するスタックケース４と、未発行の媒体を前記媒体収納部から前記媒体発行装置に搬送する搬送路、及び前記媒体発行装置が発行した媒体を前記スタックケースに搬送する搬送路を備えた媒体搬送装置を備え、前記媒体を前記スタックケースに搬送する搬送路は、該搬送路の前記スタックケースを臨む搬送路の終端に、前記媒体の搬送方向両側端を搬送駆動する搬送ローラを備え、かつ前記搬送路の少なくとも何れか一方端に前記搬送ローラによる搬送を阻止する搬送阻止部材を備えた。【選択図】      図１
2004175539.tif 000002
【特許請求の範囲】
【請求項１】
未発行の媒体を格納する媒体収納部と、
前記未発行の媒体、あるいは外部から取り込んだ既発行の媒体に所要の印字処理を施して媒体を発行する媒体発行装置と、
仕切り部材により区画された複数の区画を備え、各区画に前記発行された複数種類の媒体を分別して収納するスタックケースと、
未発行の媒体を前記媒体収納部から前記媒体発行装置に搬送する搬送路、及び前記媒体発行装置が発行した媒体を前記スタックケースに搬送する搬送路を備えた媒体搬送装置を備え、
前記媒体を前記スタックケースに搬送する搬送路は、該搬送路の前記スタックケースを臨む搬送路の終端に、前記媒体の搬送方向両側端を搬送駆動する搬送ローラを備え、かつ前記搬送路の少なくとも何れか一方端に前記搬送ローラによる搬送を阻止する搬送阻止部材を備えたことを特徴とする媒体発行装置。
【請求項２】
請求項１の記載において、
前記媒体発行装置は、未発行の媒体、あるいは外部から取り込んだ既発行の媒体に所要の印字処理を施して媒体を無効処理することを特徴とする媒体発行装置。
【請求項３】
請求項１ないし請求項２の何れか１の記載において、
前記搬送路の終端に備えた搬送ローラの搬送速度及び前記搬送阻止部材の搬送阻止時間は搬送中の媒体を収納すべき区画の位置に対応して予め設定したことを特徴とする媒体発行装置。
【発明の詳細な説明】
【０００１】
【発明の属する技術分野】
本発明は媒体発行装置に係り、特に発行した複数の媒体を効率的に区分することのできる媒体発行装置に関する。
【０００２】
【従来の技術】
例えば、特許文献１には、通帳証書発行装置に複数のスタッカを設けておき、通帳証書発行装置を用いて連続的に通帳に記帳処理する際、記帳処理した通帳をその処理結果にしたがって任意のスタッカにスタックすることが示されている。
【０００３】
【特許文献１】
特開昭１０−１０５７９０号公報
【０００４】
【発明が解決しようとする課題】
しかしながら、前記従来技術では、記帳処理した通帳を通帳証書発行装置本体に予め設置した複数のスタッカに収納している。このため前記スタッカの設置場所が制限されると共に設置するスタッカの数が制限される。従って、スタック場所を自由に選定することが困難であり、また、スタック場所を追加するには大規模な機構の追加を必要とする。
【０００５】
本発明は、これらの問題点に鑑みてなされたもので、スタック場所を容易に追加することができ、また、発行した媒体が混在することのない媒体発行装置を提供する。
【０００６】
【課題を解決するための手段】
本発明は、上記の課題を解決するために次のような手段を採用した。
【０００７】
未発行の媒体を格納する媒体収納部と、前記未発行の媒体、あるいは外部から取り込んだ既発行の媒体に所要の印字処理を施して媒体を発行する媒体発行装置と、仕切り部材により区画された複数の区画を備え、各区画に前記発行された複数種類の媒体を分別して収納するスタックケースと、未発行の媒体を前記媒体収納部から前記媒体発行装置に搬送する搬送路、及び前記媒体発行装置が発行した媒体を前記スタックケースに搬送する搬送路を備えた媒体搬送装置を備え、前記媒体を前記スタックケースに搬送する搬送路は、該搬送路の前記スタックケースを臨む搬送路の終端に、前記媒体の搬送方向両側端を搬送駆動する搬送ローラを備え、かつ前記搬送路の少なくとも何れか一方端に前記搬送ローラによる搬送を阻止する搬送阻止部材を備えた。
【０００８】
【発明の実施の形態】
以下、本発明の実施形態を添付図面を参照しながら説明する。図１、２は、本発明の実施形態にかかる媒体発行装置を説明する図であり、図１は全体の斜視図、図２は媒体発行装置１本体から媒体収納部６を引き出した状態を示す図である。
【０００９】
これらの図において、１は通帳、証書等の媒体を発行（既発行の媒体に対する記帳処理を含む）する媒体発行装置、２は行員等の利用者が操作するタッチパネル等からなる操作パネル、３は発行した媒体を排出する媒体排出口、４は発行した媒体を収納するスタックケースであり、ケース内を例えば１枚または２枚の仕切り部材により２または４の区画に仕切ることができる。５は媒体に所要の印字を施す印字処理装置、６は未発行の媒体を収納する媒体収納部、７は媒体発行装置を制御する制御装置、８は媒体である通帳を媒体収納部６から一通ずつ取り出すための通帳ホッパ、９は媒体である証書を媒体収納部６から一通ずつ取り出すための証書ホッパである。
【００１０】
行員等は自己の操作端末を操作して、後述するように、前記媒体発行装置１から指定した媒体を発行し、発行した媒体をスタックケース４の指定した排出先に例えば媒体毎あるいは操作端末毎に分類整理して排出することができる。
【００１１】
図３は、印字処理装置５の詳細を説明する図である。図において、１０ａ，１０ｂ，１０ｃ・・・１０ｅは媒体を搬送する搬送路１５を形成する搬送ローラ、１１は未発行あるいは既発行の媒体、１２は搬送ローラによる媒体の搬送を一時停止させるためのストッパ、１３はストッパ１２を前記媒体の搬送を一時停止させる停止位置まで駆動するストッパ用ソレノイド、１４はストッパ１２に位置をを復元する復元用バネ、３１は媒体を挿入し、あるいは記帳処理の終了した媒体を搬出する媒体挿入口、３２は搬送ローラ１０ａないし１０ｅを駆動する搬送モータ、３９は装置全体を制御する制御部である。
【００１２】
図４は、スタックケース４の詳細を示す図であり、図４（ａ）は斜視図、図４（ｂ）は平面図を示す。図において、５１ａ，５１ｂはしきり部材を構成する仕切り板、５０ａ，５０ｂは仕切り板５１ａ，５１ｂの挿入を検知する仕切り板検知センサである。なお、仕切り板５１ａあるいは５１ｂは、スタックケース４内に形成した嵌合溝４ａあるいは４ｂに嵌合するように挿入する。これによりスタックケース４内を複数（例えば２または４）の区画を形成することができる。また、各区画には、該区画内に媒体が搬入されたことを、発光部と受光部間を媒体が通過するとき光が遮られることにより検知する媒体検知センサ５２を配置しておく。
【００１３】
媒体発行装置１により媒体を発行する場合、まず、図示しないホストに接続した操作端末を操作して媒体の発行命令を作成し、作成した発行命令をホストを介して制御部３９に送信する。媒体発行装置１は、例えば媒体収納部６から未発行の媒体を搬送路１５に繰り出し、繰り出した媒体を搬送路１５を介して印字ヘッド３８下まで搬送する。印字ヘッド３８により所要の処理を施した媒体は更に搬送路５を介して媒体挿入口３１まで搬送し、ここから発行処理の完了した媒体を装置１の外部に排出する。なお、前記印字ヘッド等を用い既発行の媒体に対して該媒体に記帳処理あるいは無効化処理を施すことも可能である。
【００１４】
図５は、媒体挿入口からの媒体の排出を説明する図であり、図５（ａ）は搬送ローラ１０ｅによる媒体１１の搬送状態を示す図、図５（ｂ）は搬送方向右側に設けたストッパにより、搬送ローラによる搬送を阻止した状態を示す図、図５（ｃ）は搬送方向左側に設けたストッパにより、搬送ローラによる搬送を阻止した状態を示す図である。なお、図において、１０ｅは搬送路１５の終端に備えた搬送ローラ、１６ａ、１６ｂは搬送ローラの駆動輪、１２ａは搬送方向右側に設けたストッパ、１３ａはストッパ１２ａを駆動するストッパ用ソレノイド、１２ｂは搬送方向左側に設けたストッパ、１３ｂはストッパ１２ｂを駆動するストッパ用ソレノイドである。
【００１５】
図に示すように、搬送ローラ１０ｅを駆動した状態において、ストッパ用ソレノイド１３ａを駆動すると、搬送ローラ１０ｅにより搬送される媒体は搬送方向右側に駆動されることになる。また、搬送ローラ１０ｅを駆動した状態において、ストッパ用ソレノイド１３ｂを駆動すると、搬送ローラ１０ｅにより搬送される媒体は搬送方向左側に駆動されることになる。なお、このとき後述するように、搬送ローラ１０ｅの駆動速度、及びソレノイド１３ａあるいは１３ｂの駆動時間を調整することにより媒体１１の排出先を調整することができる。
【００１６】
図６は、操作端末による媒体１１の排出先登録処理を説明する図である。まず、図６（ａ）に示す通常業務画面が表示された状態において、登録変更ボタン２５を操作し、操作端末の表示画面に媒体の排出先登録画面２０を表示する。排出先登録画面２０には、図６（ｂ）に示すように排出可能なエリアとしてスタックケース４内に仕切り板５１ａ、５１ｂを嵌合して区画した複数のエリアを、例えば排出先１，排出先２，排出先３、排出先４として登録し、区画しない状態の媒体排出口３を排出先５として登録する。図６（ｂ）において、２３は端末名登録ボタンであり、該ボタンを操作すると操作端末には、図７に示す端末登録画面３０が表示される。なお、２４は媒体名登録ボタンであり、媒体発行装置１に発行指示する媒体名（通帳の種類、証書の種類等）を登録する。
【００１７】
図７は、発行端末名を登録する登録処理を説明する図である。図６（ｂ）において端末名登録ボタン２３を操作すると操作端末には、図７に示す端末登録画面３０が表示される。このとき登録する操作端末名は例えば銀行内に配置した端末の一覧である登録端末一覧２５から選択することができる。なお、登録する操作端末名は上スクロールボタン２７あるいは下スクロールボタン２８を操作して登録端末一覧２６から選択することができる。
【００１８】
図８は、スタッカの登録処理を説明するフローチャートである。まず、ステップＳ１１において、媒体発行装置１の立ち上げが初回の立ち上げであるか否かを判断し、初回の立ち上げである場合はステップ１２に進み、そうでない場合はステップ１３に進む。ステップ１３においてスタッカの登録変更ボタン２５が操作されたか否かを判断し、変更ボタンが操作された場合はステップ１２に進み、そうでない場合はステップ１４に進み、通常モードで処理を開始する。
【００１９】
ステップ１２ないし１７において、スタッカに取り付けた仕切り板検知センサ５０のセンサ出力をもとに図６（ｂ）に示すようなスタッカレイアウトを表示し、このレイアウトにより区画される排出先数Ｉ（図６（ｂ）の場合は４）を取得する。ステップ１８、１９において、排出先を操作端末名で分類するか媒体種類で分類するかを選択し、媒体種類で分類する場合はステップ２０に進み、端末名で分類する場合はステップ２４に進む。ステップ２０ないし２１において、媒体収納部６に収納されている媒体種類の一覧を表示し、該一覧から選択した媒体の排出先として排出先ｍ（ｍ：１，２，３，４）を登録する。ステップ２２ないし２３において、前記登録した排出先ｍに対応する排出制御パラメータｎ（後述）を登録し、排出先ｍに前記選択した媒体名を表示する。
【００２０】
ステップ２４ないし２５において、銀行内操作端末の一覧を表示し、該一覧から選択した操作端末名を媒体の排出先として排出先ｍ（ｍ：１，２，３，４）を登録する。ステップ２６ないし２７において、前記登録した排出先ｍに対応する排出制御パラメータｎ（後述）を登録し、排出先ｍに前記選択した操作端末名を表示する。
【００２１】
ステップ２８において、排出先数Ｉ（この例の場合は４）まで登録を終了したか否かを判別し、終了した場合はステップ２９に進み、そうでない場合は排出先番号をインクリメントしてステップ１９に進む。ステップ２９において処理を終了する。
【００２２】
図９は、媒体発行装置１による媒体発行処理を説明するフローチャートである。まず、ステップ４１ないし４２において、図示しないホストを介して、操作端末から通帳などの媒体を発行する媒体発行命令を受信し、受信データから媒体発行命令を発した端末情報（端末名）および発行する通帳種類等のデータを取得する。ステップ４３において、媒体収納部６に例えば通帳発行命令を送信し、媒体収納部６は通帳を搬送路１５に繰り出す。ステップ４４において、通帳が媒体収納部を通過したことを確認すると印字処理装置５に命令を送信する。
【００２３】
ステップ４５において、印字処理装置５により印字処理（印字、頁捲り等）を行う。ステップ４６において、全ての印字処理を終了したか否かを判別し、終了した場合はステップ４７に進み、そうでない場合はステップ４５に進む。
【００２４】
ステップ４７において、取得した通帳種類データと排出先登録情報から印字処理した媒体の排出先を決定する。ステップ４８において、前記決定した排出先に排出するための排出制御パラメータを取得する。ステップ４９ないし５０において、排出の命令を印字処理部に送信し、印字処理部は搬送ローラ１０ｅ及びストッパ用ソレノイド１３を駆動して媒体を排出する。
【００２５】
ステップ５１において、排出制御パラメータ指定した排出先に媒体が搬入されたか否かを判定する。なお、前記媒体の搬入は図４に示す媒体検知センサ５２により検知することができる。ステップ５１において、媒体が検知された場合は処理を終了し、そうでない場合はステップ５２においてエラーを表示し、ステップ５３においてユーザの復旧処理を待つ。
【００２６】
図１０は、排出制御パラメータを説明する図である。図において、「搬送速度」は搬送ローラ１０ｅによる媒体の搬送速度を表す。「ストッパ突出」はストッパ用ソレノイドの駆動によりいずれの側のストッパを突出するかを表し、左側は媒体の進行方向左側のストッパが突出することを示す。右側は媒体の進行方向右側のストッパが突出することを示す。「ストッパ突出時間」は前記ストッパが突出している時間を示す。また、搬出先番号は、前記「搬送速度」で示す媒体の搬送速度、並びに「ストッパ突出」及び「ストッパ突出時間」で表す左右何れかの側のストッパの突出時間との組み合わせで決定される媒体の搬送先を示す。
【００２７】
例えば、パターン１では、搬送速度を低速に設定し、進行方向左側のストッパを短時間突出させる。これにより搬送された媒体は進行方向左側の手前（図６（ｂ）の排出先１）に排出される。また、パターン３では、搬送速度を高速に設定し、進行方向左側のストッパを長時間突出させる。これにより搬送された媒体は進行方向左側の先方（図６（ｂ）の排出先３）に排出される。
【００２８】
図１１は、媒体の排出処理の詳細を説明するフローチャートである。まず、ステップ６１において、通帳などの媒体に対する印字処理が終了したか否かを判別し、処理が終了した場合はステップ６２に進む。ステップ６２において、排出制御パラメータで指定した搬送速度で媒体を搬送する。ステップ６３ないし６６において、排出制御パラメータで指定した時間、排出パラメータで指定した側のソレノイドを駆動してストッパを突出させる。ステップ６７において、媒体の排出先に設置した搬入検知センサが媒体の搬入を検知したか否かを判別し、媒体搬出先の搬入検知センサが搬入を検知した場合は処理を終了し、そうでない場合はステップ６８において排出先エラーであることを警報する。
【００２９】
以上説明したように、本実施形態によれば、排出時に排出距離と排出方向を任意に設定することができる。このため、媒体を媒体毎に区分して排出先にスタックすることが可能となる。従って排出した媒体の中から所望の媒体を容易に検索することができる。また、媒体発行装置を用いて媒体の無効化処理を行うことも可能である。
【００３０】
【発明の効果】
以上説明したように本発明によれば、スタック場所を容易に追加することができ、また、発行した媒体が混在することのない媒体発行装置を提供することができる。
【図面の簡単な説明】
【図１】本発明の実施形態にかかる媒体発行装置を説明する図である。
【図２】本発明の実施形態にかかる媒体発行装置を説明する図である。
【図３】印字処理装置５の詳細を説明する図である。
【図４】スタックケース４の詳細を示す図である。
【図５】媒体挿入口からの媒体の排出を説明する図である。
【図６】操作端末における媒体１１の排出先登録を説明する図である。
【図７】排出先変更登録を説明する図である。。
【図８】スタッカの登録処理を説明するフローチャートである。
【図９】媒体発行装置１による媒体発行処理を説明するフローチャートである。
【図１０】排出制御パラメータを説明する図である。
【図１１】媒体の排出処理を説明するフローチャートである。
【符号の説明】
１  媒体発行装置
２  操作パネル（タッチパネル）
３  媒体排出口
４  スタックケース
４ａ，４ｂ  嵌合溝
５  印字処理装置
６  媒体収納部
７  制御装置
８  通帳ホッパ
９  証書ホッパ
１０ａ，１０ｂ，・・・１０ｅ  搬送ローラ
１１  媒体
１２  ストッパ
１３  ストッパ用ソレノイド
１４  ストッパ復元用バネ
２０  発行先登録画面
２１  上発行部登録エリア
２２  スタックケース発行部登録エリア
２３  端末名登録ボタン
２４  媒体種類登録ボタン
２６  登録端末一覧
２７  上スクロールボタン
２８  下スクロールボタン
２９  登録ボタン
３１  媒体挿入口
３２  搬送モータ
３８  印字ヘッド
３９  制御部
５０  仕切り板検知センサ
５１ａ，５１ｂ  スタックケース仕切り板
【図１】
2004175539.tif 000003
【図２】
2004175539.tif 000004
【図３】
2004175539.tif 000005
【図４】
2004175539.tif 000006
【図５】
2004175539.tif 000007
【図６】
2004175539.tif 000008
【図７】
2004175539.tif 000009
【図８】
2004175539.tif 000010
【図９】
2004175539.tif 000011
【図１０】
2004175539.tif 000012
【図１１】
2004175539.tif 000013